(57)【特許請求の範囲】
【請求項１】
励起光源と、
該励起光源に対向する蛍光発光板と、
前記励起光源から発せられる光によって発光する前記蛍光発光板からの発光光の波長帯域と異なる少なくとも２種類の波長帯域の光を発する発光光源と、
を有し、
前記励起光源の発する光束の光軸と前記発光光源の発する光束の光軸とを直交させ、両光軸の交わる位置にダイクロイックミラーを有し、該ダイクロイックミラーで反射された蛍光光と該ダイクロイックミラーを透過した前記発光光源の光を同一方向に向けて射出し、
前記発光光源からの光が前記ダイクロイックミラーを透過した光路上に、更にマイクロレンズアレイが配置されていることを特徴とする光源装置。
【請求項２】
前記蛍光発光板に有する蛍光体は緑色波長帯域光を発する蛍光体であり、前記発光光源は青色波長帯域光を発する発光光源素子と赤色波長帯域光を発する発光光源素子とが併設されていることを特徴とする請求項１に記載の光源装置。
【請求項３】
前記ダイクロイックミラーは、青色及び赤色波長帯域光を透過し、緑色波長帯域光を反射することを特徴とする請求項１又は請求項２に記載の光源装置。
【請求項４】
前記発光光源は、異なる波長帯域光を発する前記発光光源素子がそれぞれ複数個設けられていることを特徴とする請求項２に記載の光源装置。
【請求項５】
前記励起光源は、レーザー発光器であることを特徴とする請求項１乃至請求項４のいずれかに記載の光源装置。
【請求項６】
前記発光光源素子は、レーザー発光器であることを特徴とする請求項２に記載の光源装置。
【請求項７】
前記発光光源素子は、発光ダイオードであることを特徴とする請求項２に記載の光源装置。
【請求項８】
励起光源と、
該励起光源に対向する蛍光発光板と、
前記励起光源から発せられる光によって発光する前記蛍光発光板からの発光光の波長帯域と異なる第１の波長帯域の光を発する第１の発光光源素子と、前記発光光の波長帯域と異なり且つ前記第１の波長帯域の光と異なる第２の波長帯域の光を発する第２の波長帯域の光を発する第２の発光光源素子と、が並設された発光光源と、
を有し、
前記励起光源の発する光束の光軸と前記発光光源の発する光束の光軸とを直交させ、両光軸の交わる位置にダイクロイックミラーを有し、該ダイクロイックミラーで反射された蛍光光と該ダイクロイックミラーを透過した前記発光光源の光を同一方向に向けて射出することを特徴とする光源装置。
【請求項９】
請求項１乃至請求項８のいずれかに記載の光源装置と、
投影光を生成する表示素子と、
前記光源装置からの射出光を前記表示素子まで導光する光学系と、
前記表示素子で生成された投影光を導光する投影光学系と、
前記表示素子や前記光源装置の制御を行うプロジェクタ制御手段と、
を備えることを特徴とするプロジェクタ。
【発明の詳細な説明】
【技術分野】
【０００１】
本発明は、光源装置及びプロジェクタに関する。
【背景技術】
【０００２】
今日、パーソナルコンピュータの画面やビデオ画像、さらにメモリカード等に記憶されている画像データによる画像等をスクリーンに投影する画像投影装置としてのデータプロジェクタが多用されている。このようなプロジェクタにおいて、従来は高輝度の放電ランプを光源とするものが主流であったが、近年、光源として発光ダイオード（ＬＥＤ）やレーザー発光素子、有機ＥＬ、あるいは、蛍光体等を用いる開発や提案が多々なされている。
【０００３】
そして、赤色、緑色及び青色用の各ＬＥＤのチップ形状や発光色によって変化する配光特性を考慮して光利用効率を向上させる光源装置及びプロジェクタが開発されている。例えば、下記に示す本願出願人により出願された特開２０１１−５３３２３号公報（特許文献１）では、レーザーダイオードによる青色の波長帯域光を射出する励起光源と、この励起光源から射出された光を吸収して緑色光の可視光に変換する蛍光体の層と拡散透過層とを有して、モータによって回転駆動される蛍光ホイール（回転板）と、赤色光を発する発光ダイオードと、を備えた光源装置及びこの光源装置を備えたプロジェクタが開示されている。
【０００４】
また、下記に示す特開２００４−３４１１０５号公報（特許文献２）では、透光性を有した円板からなる発光板の表面に、赤色、緑色、青色蛍光体層を並設し、発光板の裏面に紫外線透過、可視光反射のダイクロイックフィルタを配置し、発光板の裏面側から蛍光体層に紫外光を照射することにより赤色、緑色、青色波長帯域の光を生成する光源装置の提案がなされている。
【先行技術文献】
【特許文献】
【０００５】
【特許文献１】特開２０１１−５３３２３号公報
【特許文献２】特開２００４−３４１１０５号公報
【発明の概要】
【発明が解決しようとする課題】
【０００６】
上述の光源装置では、赤色、緑色及び青色波長帯域光の各発光点からの発光方向が夫々異なるため、各波長帯域光の光軸方向を一致させて表示素子に照射するための光学レイアウトが複雑なものとなっていた。そして、光学レイアウトが複雑なため、レンズやミラーの量が増えコスト高やプロジェクタの小型化の妨げになっていた。
【０００７】
本発明は、このような従来技術の問題点に鑑みてなされたものであり、小型で発光効率の高い光源装置と、この光源装置を備えたプロジェクタと、を提供することを目的とする。
【課題を解決するための手段】
【０００８】
本発明の光源装置は、励起光源と、該励起光源に対向する蛍光発光板と、前記励起光源から発せられる光によって発光する前記蛍光発光板からの発光光の波長帯域と異なる少なくとも２種類の波長帯域の光を発する発光光源と、を有し、前記励起光源の発する光束の光軸と前記発光光源の発する光束の光軸とを直交させ、両光軸の交わる位置にダイクロイックミラーを有し、該ダイクロイックミラーで反射された蛍光光と該ダイクロイックミラーを透過した前記発光光源の光を同一方向に向けて射出し、前記発光光源からの光が前記ダイクロイックミラーを透過した光路上に、更にマイクロレンズアレイが配置されていることを特徴とする。
【０００９】
本発明のプロジェクタは、上記記載の光源装置と、投影光を生成する表示素子と、前記光源装置からの射出光を前記表示素子まで導光する光学系と、前記表示素子で生成された投影光を導光する投影光学系と、前記表示素子や前記光源装置の制御を行うプロジェクタ制御手段と、を備えることを特徴とする。
【発明の効果】
【００１０】
本発明によれば、小型で発光効率の高い光源装置と、この光源装置を備えたプロジェクタと、を提供することができる。
【図面の簡単な説明】
【００１１】
【図１】本発明の実施形態に係るプロジェクタの外観斜視図である。
【図２】上記プロジェクタの機能ブロック図である。
【図３】上記プロジェクタの内部構造を示す平面模式図である。
【発明を実施するための形態】
【００１２】
以下、本発明の実施形態を図に基づいて詳説する。図１は、プロジェクタ10の外観斜視図である。なお、本実施形態において、プロジェクタ10における左右とは投影方向に対しての左右方向を示し、前後とはプロジェクタ10のスクリーン側方向及び光線束の進行方向に対しての前後方向を示す。
【００１３】
そして、プロジェクタ10は、図１に示すように、略直方体形状であって、プロジェクタ筐体の前方の側板とされる正面板12の側方に投影部を有するとともに、この正面板12には複数の排気孔17を設けている。さらに、図示しないがリモートコントローラからの制御信号を受信するＩｒ受信部を備えている。
【００１４】
また、筐体の上ケース11にはキー／インジケータ部37が設けられ、このキー／インジケータ部37には、電源スイッチキーや電源のオン又はオフを報知するパワーインジケータ、投影のオン、オフを切りかえる投影スイッチキー、光源ユニットや表示素子又は制御回路等が過熱したときに報知をする過熱インジケータ等のキーやインジケータが配置されている。また、上ケース11は、プロジェクタ筐体の上面と左側面の一部までを覆っており、故障時等には上ケース11を下ケース16から取り外せる構成とされている。
【００１５】
さらに、筐体の背面には、背面板にＵＳＢ端子やアナログＲＧＢ映像信号が入力される映像信号入力用のＤ−ＳＵＢ端子、Ｓ端子、ＲＣＡ端子、音声出力端子等を設ける入出力コネクタ部及び電源アダプタプラグ等の各種端子が設けられている。また、背面板には、複数の吸気孔が形成されている。
【００１６】
次に、プロジェクタ10のプロジェクタ制御手段について図２の機能ブロック図を用いて述べる。プロジェクタ制御手段は、制御部38、入出力インターフェース22、画像変換部23、表示エンコーダ24、表示駆動部26等から構成される。
【００１７】
この制御部38は、プロジェクタ10内の各回路の動作制御を司るものであって、ＣＰＵ、各種セッティング等の動作プログラムを固定的に記憶したＲＯＭ及びワークメモリとして使用されるＲＡＭ等により構成されている。
【００１８】
そして、このプロジェクタ制御手段により、入出力コネクタ部21から入力された各種規格の画像信号は、入出力インターフェース22、システムバス（ＳＢ）を介して画像変換部23で表示に適した所定のフォーマットの画像信号に統一するように変換された後、表示エンコーダ24に出力される。
【００１９】
また、表示エンコーダ24は、入力された画像信号をビデオＲＡＭ25に展開記憶させた上でこのビデオＲＡＭ25の記憶内容からビデオ信号を生成して表示駆動部26に出力する。
【００２０】
表示駆動部26は、表示素子制御手段として機能するものであり、表示エンコーダ24から出力された画像信号に対応して適宜フレームレートで空間的光変調素子（ＳＯＭ）である表示素子51を駆動するものである。
【００２１】
そして、このプロジェクタ10では、光源ユニット60から射出された光線束を光学系を介して表示素子51に照射することにより、表示素子51の反射光で光像を形成し、投影光学系を介して図示しないスクリーンに画像を投影表示する。なお、この投影光学系の可動レンズ群235は、レンズモータ45によりズーム調整やフォーカス調整のための駆動が行われる。
【００２２】
また、画像圧縮／伸長部31は、画像信号の輝度信号及び色差信号をＡＤＣＴ及びハフマン符号化等の処理によりデータ圧縮して着脱自在な記録媒体とされるメモリカード32に順次書き込む記録処理を行う。
【００２３】
さらに、画像圧縮／伸長部31は、再生モード時にメモリカード32に記録された画像データを読み出し、一連の動画を構成する個々の画像データを１フレーム単位で伸長し、この画像データを、画像変換部23を介して表示エンコーダ24に出力し、メモリカード32に記憶された画像データに基づいて動画等の表示を可能とする処理を行う。
【００２４】
そして、筐体の上ケース11に設けられるメインキー及びインジケータ等により構成されるキー／インジケータ部37の操作信号は、直接に制御部38に送出され、リモートコントローラからのキー操作信号は、Ｉｒ受信部35で受信され、Ｉｒ処理部36で復調されたコード信号が制御部38に出力される。
【００２５】
なお、制御部38にはシステムバス（ＳＢ）を介して音声処理部47が接続されている。この音声処理部47は、ＰＣＭ音源等の音源回路を備えており、投影モード及び再生モード時には音声データをアナログ化し、スピーカ48を駆動して拡声放音させる。
【００２６】
また、制御部38は、光源制御手段としての光源制御回路41を制御しており、この光源制御回路41は、画像生成時に要求される所定波長帯域の光が光源ユニット60から射出されるように、光源ユニット60の赤色光源装置、緑色光源装置及び青色光源装置の発光を個別に制御する。
【００２７】
さらに、制御部38は、冷却ファン駆動制御回路43に光源ユニット60等に設けた複数の温度センサによる温度検出を行わせ、この温度検出の結果から冷却ファンの回転速度を制御させている。また、制御部38は、冷却ファン駆動制御回路43にタイマー等によりプロジェクタ本体の電源オフ後も冷却ファンの回転を持続させる、あるいは、温度センサによる温度検出の結果によってはプロジェクタ本体の電源をオフにする等の制御も行う。
【００２８】
次に、このプロジェクタ10の内部構造について述べる。図３は、プロジェクタ10の内部構造を示す平面模式図である。
【００２９】
プロジェクタ10は、図３に示すように、中央部分に光源ユニット60を備え、光源ユニット60の左側方に投影光学系が内装されたレンズ鏡筒225を備えている。また、プロジェクタ10は、レンズ鏡筒225と背面板13との間にＤＭＤ等の表示素子51を備えている。さらに、プロジェクタ10は、光源ユニット60の下方に主制御回路基板を備えている。
【００３０】
また、プロジェクタ10は、表示素子51と背面板13との間に、表示素子51を冷却させるヒートシンク191を備えている。また、光源ユニット60と右側板15との間には、赤色光源121及び青色光源301用のヒートシンク131,190を備えている。
【００３１】
光源ユニット60は、プロジェクタ筐体の左右方向における略中央部分に配置される励起光照射装置70及びこの励起光照射装置70から射出される光線束の光軸上であって正面板12の近傍に配置される蛍光発光装置100による緑色光源装置80と、励起光照射装置70と蛍光発光装置100との間で並設して配置される青色光源装置300と赤色光源装置120とにより形成される二色光源装置400と、蛍光発光装置100からの射出光や赤色光源装置120からの射出光、青色光源装置300からの射出光の光軸が夫々同一の光軸となるように光路を変換して各色光を所定の一面である表示素子51へと照射する光学系と、を備える。
【００３２】
緑色光源装置80における励起光照射装置70は、背面板13と光軸が垂直になるよう配置された半導体発光素子による励起光源71と、励起光源71と背面板13との間に配置されたヒートシンク81と、を備える。
【００３３】
励起光源71は、２個の半導体発光素子である青色レーザーダイオードが並列に配置されており、各青色レーザーダイオードの光軸上には、各青色レーザーダイオードからの射出光を平行光に変換する集光レンズであるコリメータレンズ73が夫々配置されている。
【００３４】
ヒートシンク81と背面板13との間には、冷却媒体として外気をヒートシンク81側に送風する送風ファンである冷却ファン261が配置されており、この冷却ファン261とヒートシンク81とによって励起光源71が冷却される。
【００３５】
緑色光源装置80における蛍光発光装置100は、正面板12と平行となるように、つまり、励起光照射装置70からの射出光の光軸と直交するように配置された蛍光ホイール101と、この蛍光ホイール101を回転駆動するホイールモータ110と、蛍光ホイール101から背面板13方向に射出される光線束を集光する集光レンズ群111と、を備える。
【００３６】
蛍光ホイール101は、円板状の金属基材であって、励起光源71からの射出光を励起光として緑色波長帯域の蛍光発光光を射出する環状の蛍光発光領域が凹部として形成され、励起光を受けて蛍光発光する蛍光体として機能する。また、蛍光発光領域を含む蛍光ホイール101の励起光源71側の表面は、銀蒸着等によってミラー加工されることで光を反射する反射面が形成され、この反射面上に緑色蛍光体の層が敷設されている。
【００３７】
そして、蛍光ホイール101の緑色蛍光体層に照射された励起光照射装置70からの射出光は、緑色蛍光体層における緑色蛍光体を励起し、緑色蛍光体から全方位に蛍光発光された光線束は、直接励起光源71側へ、あるいは、蛍光ホイール101の反射面で反射した後に励起光源71側へ射出される。
【００３８】
また、蛍光体層の蛍光体に吸収されることなく、金属基材に照射された励起光は、反射面により反射されて再び蛍光体層に入射し、蛍光体を励起することとなる。よって、蛍光ホイール101の凹部の表面を反射面とすることにより、緑色の光源である励起光源71から射出される励起光の利用効率を上げることができ、より明るく発光させることができる。
【００３９】
なお、蛍光ホイール101の反射面で蛍光体層側に反射された励起光において蛍光体に吸収されることなく励起光源71側に射出された励起光は、ダイクロイックミラー141を透過し、蛍光光はダイクロイックミラー141により反射されるため、励起光が外部に射出されることはない。そして、ホイールモータ110と正面板12との間にはヒートシンク130等が配置されており、これらによって蛍光ホイール101が冷却される。
【００４０】
青色光源装置300と赤色光源装置120とにより形成される二色光源装置400は、その射出光の光軸と励起光源71からの光の光軸とが直行するように並設されている。そして、装置内の青色光源装置300は、青色光源301と、青色光源301からの射出光を所定範囲の光に集光して射出するコリメータレンズ305と、を備える。また、装置内の赤色光源装置120は、赤色光源121と、赤色光源121からの射出光を所定範囲の光に集光して射出する集光レンズ125と、を備える。そして、青色光源装置300及び赤色光源装置120は、励起光照射装置70からの射出光及び蛍光ホイール101から射出される緑色波長帯域光と光軸が交差するように配置されている。
【００４１】
青色光源301は、青色の波長帯域光を発する半導体発光素子としての青色レーザー発光器である。また、赤色光源121は、赤色の波長帯域光を発する半導体発光素子としての赤色レーザー発光器である。さらに、青色光源装置300及び赤色光源装置120は、青色光源301及び赤色光源121近傍に配置されるヒートシンク131、190を備える。
【００４２】
そして、ヒートシンク131、190と正面板12との間には、送風ファンから送風されヒートシンク131、190によって暖められた冷却媒体を吸い込んで装置外部に排出するための吸込みファンとしての冷却ファン261が配置されており、この冷却ファン261によって赤色光源121及び青色光源301が冷却される。
【００４３】
そして、装置内の光学系は、赤色、緑色、青色波長帯域の光線束を集光させる集光レンズや、各色波長帯域の光線束の光軸を変換して同一の光軸とさせるダイクロイックミラー等からなる。
【００４４】
具体的には、励起光照射装置70から射出される青色波長帯域光及び蛍光ホイール101から射出される緑色波長帯域光の光軸と、二色光源装置400から射出される赤色波長帯域光及び青色波長帯域光の光軸と、が交差する位置に、青色及び赤色波長帯域光を透過し、緑色波長帯域光を反射してこの緑色光の光軸を左側板14方向に９０度変換するダイクロイックミラー141が配置されている。
【００４５】
そして、ダイクロイックミラー141の左方には、各光源からの射出光を夫々に所定範囲に拡散させながら、所定範囲内で輝度分布を均一化させるマイクロレンズアレイ254を配置している。
【００４６】
マイクロレンズアレイ254は、先述のとおり、入射される射出光の所定範囲内で輝度分布を均一化させるものであり、例えば、従来であればスペースを要するライトトンネルや導光ロッドが採用されてきた。
【００４７】
そこで、本実施形態では、マイクロレンズアレイ254として、０．２乃至０．４ｍｍピッチで微小なマイクロレンズが多数配列されて形成されているものを採用する。マイクロレンズは、レンズ形状として平凸非球面レンズや平凹レンズ等を格子状又は六方格子状等に配列されているものである。そして、マイクロレンズアレイ254近傍には、マイクロレンズアレイ254からの拡散均一光が透過された光を表示素子51の有効サイズに集光させる集光レンズ255が配置される。
【００４８】
集光レンズ125,305は、複数のレンズが組み合わされることにより一つの集光レンズとして構成されている。なお、ダイクロイックミラー141は、励起光照射装置70の光軸と二色光源装置400の光軸とが交差する位置に配置されている。
【００４９】
したがって、１枚のダイクロイックミラー141により、赤色波長帯域光、緑色波長帯域光及び青色波長帯域光の各光を同一の光路に重ね合わせることができる。
【００５０】
さらに、この光源ユニット60から射出された光源光を表示素子51に導光するにあたって、マイクロレンズアレイ254により均一な強度分布とされた光線束を光軸変換ミラー173に射出させることができる。
【００５１】
また、光軸変換ミラー173で反射した光源光を表示素子51に効果的に照射するコンデンサレンズ174を有している。そして、この表示素子51と背面板13との間には表示素子51を冷却するためのヒートシンク191等が配置されている。
【００５２】
そして、表示素子51で反射されたオン光をスクリーンに放出する投影光学系168のレンズ群を有している。この投影光学系168としては、レンズ鏡筒225に内蔵する固定レンズ群と可動鏡筒に内蔵する可動レンズ群235とを備えてズーム機能を備えた可変焦点型レンズとされ、レンズモータにより可動レンズ群を移動させてズーム調整やフォーカス調整を可能としている。
【００５３】
なお、本実施形態の光源装置における青色光源301は、青色の波長帯域光を発する半導体発光素子としての青色レーザー発光器であり、赤色光源121は、赤色の波長帯域光を発する半導体発光素子としての赤色レーザー発光器として説明してきたが、これに限定されず、例えば、輝度の高い発光ダイオードであっても構わない。
【００５４】
そして、これら赤色光源及び青色光源については、コリメータレンズと発光素子との距離調整を行って、マイクロレンズアレイ254への照射光を所定範囲に集光させて射出するように、異なる波長帯域光である赤色波長帯域光及び青色波長帯域光の両発光光を近接平行で同一方向に射出させる。
【００５５】
そして、このマイクロレンズアレイ254により、光軸を揃えた赤色、緑色及び青色波長帯域光は、輝度分布において明るさを均一化されて透過し、集光レンズ255により集光される。そして集光レンズ255にて表示素子51の有効サイズと同等となるように集光されて表示素子51に照射される。
【００５６】
以上のように、本発明の実施形態によれば、１枚のダイクロイックミラー141により、赤色波長帯域光、緑色波長帯域光及び青色波長帯域光の各光を同一の光路に重ね合わせるようにすることから、光学部品数を削減させるとともに、光学部品数の削減に伴って光の減衰を軽減させて高輝度な投影光を実現する小型の光源装置と、この光源装置を備えたプロジェクタ10と、を提供することができる。
【００５７】
また、本発明の実施形態によれば、赤色波長帯域光を発する光源及び青色波長帯域光を発する光源を併設して一つのユニットとすることにより、両発光光の光軸を近接且つ平行として同一方向に射出させることができる。
【００５８】
さらに、本発明の実施形態によれば、蛍光発光装置100が励起光源71の射出した光を受けて緑色蛍光光を発する蛍光板を備えることから、高輝度な緑色光を形成することができる。
【００５９】
そして、本発明の実施形態によれば、マイクロレンズアレイ254を適用することにより、表示素子51の有効サイズと同等となるように小型の光学部材で輝度を均一化させることができる。
【００６０】
また、本発明の実施形態によれば、複数の光源の射出光と励起光源71の射出光とが直交する位置に赤色波長帯域光及び青色波長帯域光を透過させ、緑色波長帯域光を反射させるダイクロイックミラー１枚を配置させることにより、三光を一致させてコンパクトな光学系を可能とすることができる。
【００６１】
さらに、本発明の実施形態によれば、発光光源は異なる波長帯域光を発する前記発光光源素子がそれぞれ複数個設けられていることにより、各光とも所定の輝度を確保することができる。
【００６２】
そして、本発明の実施形態によれば、励起光源71はレーザー発光器であることから、高輝度な緑色波長帯域光を生成することができる。
【００６３】
また、本発明の実施形態によれば、発光光源素子は、レーザー発光器であることから、高輝度な赤色波長帯域光及び青色波長帯域光を生成することができる。
【００６４】
さらに、本発明の実施形態によれば、発光光源素子を発光ダイオードとすれば、部品単価を軽減させることができる。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６６】
以下に、本願出願の最初の特許請求の範囲に記載された発明を付記する。
[１]  励起光源と、
該励起光源に対向する蛍光発光板と、
前記励起光源から発せられる光によって発光する前記蛍光発光板からの発光光の波長帯域と異なる少なくとも２種類の波長帯域の光を発する発光光源と、を有し、
前記励起光源の発する光束の光軸と前記発光光源の発する光束の光軸とを直交させ、両光軸の交わる位置にダイクロイックミラーを有し、該ダイクロイックミラーで反射された蛍光光と該ダイクロイックミラーを透過した前記発光光源の光を同一方向に向けて射出することを特徴とする光源装置。
[２]  前記蛍光発光板に有する蛍光体は緑色波長帯域光を発する蛍光体であり、前記発光光源は青色波長帯域光を発する発光光源素子と赤色波長帯域光を発する発光光源素子とが併設されていることを特徴とする上記[１]に記載の光源装置。
[３]  前記ダイクロイックミラーは、青色及び赤色波長帯域光を透過し、緑色波長帯域光を反射することを特徴とする上記[１]又は上記[２]に記載の光源装置。
[４]  前記発光光源からの光が前記ダイクロイックミラーを透過した光路上に、更にマイクロレンズアレイが配置されていることを特徴とする上記[１]乃至上記[３]のいずれかに記載の光源装置。
[５]  前記発光光源は、異なる波長帯域光を発する前記発光光源素子がそれぞれ複数個設けられていることを特徴とする上記[１]乃至上記[４]のいずれかに記載の光源装置。
[６]  前記励起光源は、レーザー発光器であることを特徴とする上記[１]乃至上記[５]のいずれかに記載の光源装置。
[７]  前記発光光源素子は、レーザー発光器であることを特徴とする上記[２]乃至上記[６]のいずれかに記載の光源装置。
[８]  前記発光光源素子は、発光ダイオードであることを特徴とする上記[２]乃至上記[６]のいずれかに記載の光源装置。
[９]  上記[１]乃至上記[８]のいずれかに記載の光源装置と、
投影光を生成する表示素子と、
前記光源装置からの射出光を前記表示素子まで導光する光学系と、
前記表示素子で生成された投影光を導光する投影光学系と、
前記表示素子や前記光源装置の制御を行うプロジェクタ制御手段と、
を備えることを特徴とするプロジェクタ。
【符号の説明】
【００６７】
１０    プロジェクタ                      １１    上ケース
１２    正面板                            １３    背面板
１４    左側板                            １５    右側板
１６    下ケース
１８    吸気孔                            ２１    入出力コネクタ部
２２    入出力インターフェース            ２３    画像変換部
２４    表示エンコーダ                    ２５    ビデオＲＡＭ
２６    表示駆動部                        ３１    画像圧縮伸長部
３２    メモリカード                    
３５    Ｉｒ受信部                        ３６    Ｉｒ処理部
３７    キー／インジケータ部
４１    光源制御回路                      ４３    冷却ファン駆動制御回路
４５    レンズモータ                      ４７    音声処理部
４８    スピーカ                          ５１    表示素子
６０    光源ユニット
７０    励起光照射装置                    ７１    励起光源
７３    コリメータレンズ
１００  蛍光発光装置                      １０１  蛍光板
１１０  ホイールモータ                    １１１  集光レンズ群
１２０  赤色光源装置                      １２１  赤色光源
１２５  集光レンズ                        １３０  ヒートシンク
１３１  ヒートシンク
１４１  ダイクロイックミラー              １６８  投影光学系
１７３  光軸変更ミラー                    １７４  コンデンサレンズ
１９０  ヒートシンク                      １９１  ヒートシンク
２２５  レンズ鏡筒                        ２３５  可動レンズ群
２５４  マイクロレンズアレイ              
２５５  集光レンズ
２６１  冷却ファン                        ３００  青色光源装置
３０１  青色光源                          ３０５  コリメータレンズ
４００  二色光源装置
【図１】
0005910868.tif 000002
【図２】
0005910868.tif 000003
【図３】
0005910868.tif 000004